(57)【要約】  第１の送受信機が第２の送受信機から受け取る信号に基づいて、第２の送受信機に伝送されるパケットの伝送速度を調整するための、第１の送受信機（たとえば無線送信／受信ユニット（ＷＴＲＵ）、アクセスポイント（ＡＰ）、ノードなど）に使用する方法および装置。１つの実施形態において、伝送パケット誤り率（Ｔｘ  ＰＥＲ）プロセスは、パケット伝送速度を調整するために使用される。もう１つの実施形態において、パケット伝送速度を調整するための、第１の送受信機において第２の送受信機から受信されたパケットのＲＳＳＩを決定するために、相対信号強度インジケータ（ＲＳＳＩ）ベースのプロセスが使用される。もう１つの実施形態において、伝送品質インジケータは第２の送受信機で測定され第１の送受信機に送信されるが、これはそこから新しいパケット伝送速度を導き出す。Ｔｘ  ＰＥＲおよびＲＳＳＩベースのプロセスは、個別に、他のプロセスとの組み合わせで、または他のプロセスと併せて使用されうる。
2008533776.tif 000002
【特許請求の範囲】
【請求項１】
複数の無線送信／受信ユニット（ＷＴＲＵ）を含む無線通信システムにおいて、ＷＴＲＵのパケット伝送速度を調整する方法であって、
（ａ）第１のＷＴＲＵが、使用可能なパケットを伝送するためのパケット伝送速度を決定するステップと、
（ｂ）前記第１のＷＴＲＵが、ステップ（ａ）において選択された前記伝送速度で第２のＷＴＲＵに前記パケットを伝送するステップと、
（ｃ）前記第１のＷＴＲＵが、前記伝送されたパケットに基づいて相対信号強度インジケータ（ＲＳＳＩ）トレーニングプロセスを呼び出すステップと
を備えることを特徴とする方法。
【請求項２】
（ｄ）前記第１のＷＴＲＵが、あらかじめ定められた期間内に前記第２のＷＴＲＵから受信された少なくとも１つのパケットに使用可能な少なくとも１つの有効なＲＳＳＩ測定があるかどうかを決定するステップ
をさらに備えることを特徴とする請求項１に記載の方法。
【請求項３】
ステップ（ｄ）の前記決定が肯定である場合、
（ｅ）前記第１のＷＴＲＵが、前記少なくとも１つの使用可能なＲＳＳＩ測定の前記ＲＳＳＩレベルを決定するステップと、
（ｆ）前記第１のＷＴＲＵが、ステップ（ｅ）において決定された前記ＲＳＳＩレベルが前記あらかじめ定められた期間内に前記ＲＳＳＩトレーニングプロセスに以前使用されたかどうかを決定するステップと
をさらに備えることを特徴とする請求項２に記載の方法。
【請求項４】
ステップ（ｆ）の前記決定が肯定である場合、
（ｇ）前記第１のＷＴＲＵが、前記ＲＳＳＩトレーニングプロセスによって決定されたように、前記ＲＳＳＩレベルに対して確立された好ましいパケット伝送速度に前記パケット伝送速度を設定するステップ
をさらに備えることを特徴とする請求項３に記載の方法。
【請求項５】
ステップ（ｄ）の前記決定が否定である場合、
（ｅ）前記第１のＷＴＲＵが、前記パケット伝送速度を決定するために伝送パケット誤り率（ＰＥＲ）ベースのプロセスを呼び出すステップ
をさらに備えることを特徴とする請求項２に記載の方法。
【請求項６】
ステップ（ｆ）の前記決定が否定である場合、
（ｇ）前記第１のＷＴＲＵが、前記パケット伝送速度を決定するために伝送パケット誤り率（ＰＥＲ）ベースのプロセスを呼び出すステップ
をさらに備えることを特徴とする請求項３に記載の方法。
【請求項７】
前記ＲＳＳＩトレーニングプロセスは、
（ｉ）前記第２のＷＴＲＵが前記第１のＷＴＲＵによって伝送された前記パケットの受信に応答して肯定応答（ＡＣＫ）メッセージを前記第１のＷＴＲＵに送信した場合、前記第１のＷＴＲＵが、前記ＡＣＫメッセージのＲＳＳＩ測定の前記ＲＳＳＩレベルを決定して、前記ＲＳＳＩレベルに対して合計パケット伝送のカウントを増分するステップと、
（ｉｉ）前記第１のＷＴＲＵが、前記ＲＳＳＩレベルの好ましいパケット伝送速度を更新するステップと
を備えることを特徴とする請求項１に記載の方法。
【請求項８】
少なくとも１つのアクセスポイント（ＡＰ）および少なくとも１つの無線送信／受信ユニット（ＷＴＲＵ）を含む無線通信システムにおいて、前記ＡＰのパケット伝送速度を調整する方法であって、
（ａ）前記ＡＰが、使用可能なパケットを伝送するためのパケット伝送速度を決定するステップと、
（ｂ）前記ＡＰが、ステップ（ａ）において選択された前記伝送速度で前記ＷＴＲＵに前記パケットを伝送するステップと、
（ｃ）前記ＡＰが、前記伝送されたパケットに基づいて相対信号強度インジケータ（ＲＳＳＩ）トレーニングプロセスを呼び出すステップと
を備えることを特徴とする方法。
【請求項９】
（ｄ）前記ＡＰが、あらかじめ定められた期間内に前記ＷＴＲＵから受信された少なくとも１つのパケットに使用可能な少なくとも１つの有効なＲＳＳＩ測定があるかどうかを決定するステップ
をさらに備えることを特徴とする請求項８に記載の方法。
【請求項１０】
ステップ（ｄ）の前記決定が肯定である場合、
（ｅ）前記ＡＰが、前記少なくとも１つの有効なＲＳＳＩ測定の前記ＲＳＳＩレベルを決定するステップと、
（ｆ）前記ＡＰが、ステップ（ｅ）において決定された前記ＲＳＳＩレベルが前記あらかじめ定められた期間内に前記ＲＳＳＩトレーニングプロセスに以前使用されたかどうかを決定するステップと
をさらに備えることを特徴とする請求項９に記載の方法。
【請求項１１】
ステップ（ｆ）の前記決定が肯定である場合、
（ｇ）前記ＡＰが、前記ＲＳＳＩトレーニングプロセスによって決定されたように、前記ＲＳＳＩレベルに対して確立された好ましいパケット伝送速度に前記パケット伝送速度を設定するステップ
をさらに備えることを特徴とする請求項１０に記載の方法。
【請求項１２】
ステップ（ｄ）の前記決定が否定である場合、
（ｅ）前記ＡＰが、前記パケット伝送速度を決定するために伝送パケット誤り率（ＰＥＲ）ベースのプロセスを呼び出すステップ
をさらに備えることを特徴とする請求項９に記載の方法。
【請求項１３】
ステップ（ｆ）の前記決定が否定である場合、
（ｇ）前記ＡＰが、前記パケット伝送速度を決定するために伝送パケット誤り率（ＰＥＲ）ベースのプロセスを呼び出すステップ
をさらに備えることを特徴とする請求項１０に記載の方法。
【請求項１４】
前記ＲＳＳＩトレーニングプロセスは、
（ｉ）前記ＷＴＲＵが前記ＡＰによって伝送された前記パケットの受信に応答して肯定応答（ＡＣＫ）メッセージを前記ＡＰに送信した場合、前記ＡＰが、前記ＡＣＫメッセージのＲＳＳＩ測定の前記ＲＳＳＩレベルを決定して、前記ＲＳＳＩレベルに対して合計パケット伝送のカウントを増分するステップと、
（ｉｉ）前記ＡＰが、前記ＲＳＳＩレベルの好ましいパケット伝送速度を更新するステップと
を備えることを特徴とする請求項８に記載の方法。
【請求項１５】
パケット伝送速度を調整するためのアクセスポイント（ＡＰ）であって、
（ａ）前記ＡＰの前記パケット伝送速度を決定するプロセッサと、
（ｂ）前記プロセッサによって決定された前記速度で無線送信／受信ユニット（ＷＴＲＵ）にパケットを伝送する送信機であって、前記プロセッサは前記パケットに相対信号強度インジケータ（ＲＳＳＩ）トレーニングプロセスを呼び出し、あらかじめ定められた期間内に前記ＷＴＲＵから受信された少なくとも１つのパケットに使用可能な少なくとも１つのＲＳＳＩ測定があるかどうかを決定する送信機と
を備えることを特徴とするＡＰ。
【請求項１６】
あらかじめ定められた期間内に前記ＷＴＲＵから受信された少なくとも１つのパケットに使用可能な少なくとも１つのＲＳＳＩ測定がある場合、前記プロセッサは前記少なくとも１つの有効なＲＳＳＩ測定の前記ＲＳＳＩレベルを決定し、前記ＲＳＳＩレベルが前記あらかじめ定められた期間内に前記ＲＳＳＩトレーニングプロセスに以前使用されたかどうかを決定することを特徴とする請求項１５に記載のＡＰ。
【請求項１７】
あらかじめ定められた期間内に他のＷＴＲＵから受信された少なくとも１つのパケットに使用可能な少なくとも１つのＲＳＳＩ測定がない場合、前記プロセッサは前記パケット伝送速度を決定するために伝送パケット誤り率（ＰＥＲ）ベースのプロセスを呼び出すことを特徴とする請求項１５に記載のＡＰ。
【請求項１８】
前記ＲＳＳＩレベルが前記あらかじめ定められた期間内に前記ＲＳＳＩトレーニングプロセスによって以前使用されなかった場合、前記プロセッサは前記パケット伝送速度を決定するために伝送パケット誤り率（ＰＥＲ）ベースのプロセスを呼び出すことを特徴とする請求項１７に記載のＡＰ。
【請求項１９】
前記ＲＳＳＩレベルが前記あらかじめ定められた期間内に前記ＲＳＳＩトレーニングプロセスによって以前使用された場合、前記プロセッサは前記パケット伝送速度を、前記ＲＳＳＩトレーニングプロセスによって決定されたように、前記ＲＳＳＩレベルに対して確立された好ましいレベルに設定することを特徴とする請求項１７に記載のＡＰ。
【請求項２０】
前記ＷＴＲＵが前記ＡＰによって伝送された前記パケットの受信に応答して肯定応答（ＡＣＫ）メッセージを送信した場合、前記プロセッサは前記ＡＣＫメッセージのＲＳＳＩ測定の前記ＲＳＳＩレベルを決定し、前記ＲＳＳＩレベルの伝送のカウントを増分して、前記ＲＳＳＩレベルに対して好ましいパケット伝送速度を更新することを特徴とする請求項１５に記載のＡＰ。
【請求項２１】
前記パケットへの肯定応答（ＡＣＫ）メッセージが前記パケットの伝送に応答して前記ＡＰにより受信されない場合、前記プロセッサは前記あらかじめ定められた期間内に第２のＷＴＲＵから受信されたパケットに使用可能なＲＳＳＩ測定があるかどうかを決定し、ＲＳＳＩ測定がある場合は、前記パケットのＲＳＳＩレベルを決定し、前記ＲＳＳＩレベルの合計伝送のカウントおよびエラーのカウントを増分して、前記ＲＳＳＩレベルに対して好ましいパケット伝送速度を更新することを特徴とする請求項１５に記載のＡＰ。
【請求項２２】
送受信機のパケット伝送速度を調整するための前記送受信機に組み込まれた集積回路（ＩＣ）であって、
（ａ）前記送受信機の前記パケット伝送速度を決定するプロセッサと、
（ｂ）前記プロセッサによって決定された前記速度でもう１つの送受信機にパケットを伝送する送信機であって、前記プロセッサは前記パケットに相対信号強度インジケータ（ＲＳＳＩ）トレーニングプロセスを呼び出し、あらかじめ定められた期間内に前記もう１つの送受信機から受信された少なくとも１つのパケットに使用可能な少なくとも１つのＲＳＳＩ測定があるかどうかを決定する送信機と
を備えることを特徴とするＩＣ。
【請求項２３】
あらかじめ定められた期間内に前記もう１つの送受信機から受信された少なくとも１つのパケットに使用可能な少なくとも１つの有効なＲＳＳＩ測定がある場合、前記プロセッサは前記少なくとも１つの有効なＲＳＳＩ測定の前記ＲＳＳＩレベルを決定し、前記ＲＳＳＩレベルが前記あらかじめ定められた期間内に前記ＲＳＳＩトレーニングプロセスに以前使用されたかどうかを決定することを特徴とする請求項２２に記載のＩＣ。
【請求項２４】
あらかじめ定められた期間内に前記もう１つの送受信機から受信された少なくとも１つのパケットに使用可能な少なくとも１つのＲＳＳＩ測定がない場合、前記プロセッサは前記パケット伝送速度を決定するために伝送パケット誤り率（ＰＥＲ）ベースのプロセスを呼び出すことを特徴とする請求項２２に記載のＩＣ。
【請求項２５】
前記ＲＳＳＩレベルが前記あらかじめ定められた期間内に前記ＲＳＳＩトレーニングプロセスによって以前使用されなかった場合、前記プロセッサは前記パケット伝送速度を決定するために伝送パケット誤り率（ＰＥＲ）ベースのプロセスを呼び出すことを特徴とする請求項２４に記載のＩＣ。
【請求項２６】
前記ＲＳＳＩレベルが前記あらかじめ定められた期間内に前記ＲＳＳＩトレーニングプロセスによって以前使用された場合、前記プロセッサは前記パケット伝送速度を、前記ＲＳＳＩトレーニングプロセスによって決定されたように、前記ＲＳＳＩレベルに対して確立された好ましいレベルに設定することを特徴とする請求項２４に記載のＩＣ。
【請求項２７】
前記もう１つの送受信機が前記パケットの受信に応答して肯定応答（ＡＣＫ）メッセージを送信した場合、前記プロセッサは前記ＡＣＫメッセージのＲＳＳＩ測定の前記ＲＳＳＩレベルを決定し、前記ＲＳＳＩレベルの伝送のカウントを増分して、前記ＲＳＳＩレベルに対して好ましいパケット伝送速度を更新することを特徴とする請求項２２に記載のＩＣ。
【請求項２８】
前記パケットへの肯定応答（ＡＣＫ）メッセージが前記パケットの伝送に応答して前記送受信機により受信されない場合、前記プロセッサは前記ＡＣＫメッセージのＲＳＳＩ測定の前記ＲＳＳＩレベルを決定し、前記ＲＳＳＩレベルに対して好ましいパケット伝送速度を更新することを特徴とする請求項２２に記載のＩＣ。
【請求項２９】
無線送信／受信ユニット（ＷＴＲＵ）がアンテナを介して伝送するパケットのパケット伝送速度を調整するための前記ＷＴＲＵであって、
（ａ）特定のパケット伝送速度で少なくとも１つのパケットをノードに伝送する送信機と、
（ｂ）前記少なくとも１つのパケットを受信して、受信を確認する前記ノードから肯定応答（ＡＣＫ）信号を受信する受信機と、
（ｃ）前記送信機および前記受信機と通信するプロセッサと、
（ｄ）前記プロセッサと通信するメモリと、
（ｅ）前記プロセッサと通信する伝送速度データベースと、
（ｆ）前記プロセッサと通信する複数のパケット伝送カウンタと
を備えることを特徴とするＷＴＲＵ。
【請求項３０】
前記特定のパケット伝送速度は最初にデフォルトの速度に設定されることを特徴とする請求項２９に記載のＷＴＲＵ。
【請求項３１】
前記パケット伝送カウンタは合計成功パケット伝送カウンタおよび個別パケット伝送エラーカウンタを含むことを特徴とする請求項２９に記載のＷＴＲＵ。
【請求項３２】
前記合計成功パケット伝送カウンタは前記受信機が前記ノードからＡＣＫを受信したときに増分されることを特徴とする請求項３１に記載のＷＴＲＵ。
【請求項３３】
前記個別パケット伝送エラーカウンタは前記受信機が前記ノードからＡＣＫを受信したときにゼロにリセットされることを特徴とする請求項３２に記載のＷＴＲＵ。
【請求項３４】
前記パケット伝送カウンタは合計失敗パケット伝送カウンタをさらに含み、前記プロセッサは前記合計成功パケット伝送カウンタの第１のカウント値と前記合計失敗パケット伝送カウンタの第２のカウント値の合計に基づいて前記特定のパケット伝送速度を調整するかどうかを決定することを特徴とする請求項３３に記載のＷＴＲＵ。
【請求項３５】
前記合計がパケット伝送速度の増加を必要とするパケットのあらかじめ定められた数よりも大きいかまたはこれと等しい場合、前記特定のパケット伝送速度が増加されることを特徴とする請求項３４に記載のＷＴＲＵ。
【請求項３６】
前記第１のカウント値に対する前記第２のカウント値の比率があらかじめ定められたパケット伝送速度の増加率よりも小さい場合、前記特定のパケット伝送速度が増加されることを特徴とする請求項３５に記載のＷＴＲＵ。
【請求項３７】
前記パケット伝送カウンタは合計失敗パケット伝送カウンタおよび個別パケット伝送エラーカウンタを含むことを特徴とする請求項２９に記載のＷＴＲＵ。
【請求項３８】
前記合計失敗パケット伝送カウンタおよび前記個別パケット伝送エラーカウンタは、前記少なくとも１つのパケットを前記ノードに伝送した後に前記受信機が前記ノードからＡＣＫを受信しないときに増分されることを特徴とする請求項３７に記載のＷＴＲＵ。
【請求項３９】
前記特定のパケット伝送速度は、前記個別パケット伝送エラーカウンタのカウント値に基づいて前記伝送速度データベースに指定された１つまたは複数のサポートされる速度ステップだけ減少されることを特徴とする請求項３８に記載のＷＴＲＵ。
【請求項４０】
前記パケット伝送カウンタは受信信号強度インジケータ（ＲＳＳＩ）レベルの合計パケット伝送カウンタを含むことを特徴とする請求項２９に記載のＷＴＲＵ。
【請求項４１】
ＲＳＳＩトレーニングプロセスが前記特定のパケット伝送速度を決定するために以前使用されなかった場合、前記ノードに前記少なくとも１つのパケットを伝送した後に前記ノードから受信されたＡＣＫのＲＳＳＩ測定は前記メモリから取り出され、前記ＲＳＳＩ測定は前記プロセッサによって決定され、前記ＲＳＳＩレベルに対する前記ＲＳＳＩレベルの合計パケット伝送カウンタは増分されることを特徴とする請求項４０に記載のＷＴＲＵ。
【請求項４２】
前記ＲＳＳＩレベルのパケット誤り率（ＰＥＲ）は前記メモリ内で更新され、前記ＰＥＲが安定している場合、前記ＲＳＳＩレベルの好ましいパケット伝送速度もまた前記メモリ内で更新されることを特徴とする請求項４１に記載のＷＴＲＵ。
【請求項４３】
ＲＳＳＩトレーニングプロセスが前記特定のパケット伝送速度を決定するために以前使用された場合、前記ノードに前記少なくとも１つのパケットを伝送した後に前記ノードから受信されたＡＣＫのＲＳＳＩ測定は前記メモリから取り出され、前記ＲＳＳＩ測定は前記プロセッサによって決定され、前記ＲＳＳＩレベルに対する前記ＲＳＳＩレベルの合計パケット伝送カウンタは増分されることを特徴とする請求項４０に記載のＷＴＲＵ。
【請求項４４】
前記ＲＳＳＩレベルのパケット誤り率（ＰＥＲ）は前記メモリ内で更新され、前記ＰＥＲが安定している場合、前記ＲＳＳＩレベルの好ましいパケット伝送速度もまた前記メモリ内で更新されることを特徴とする請求項４３に記載のＷＴＲＵ。
【請求項４５】
ＲＳＳＩトレーニングプロセスが前記特定のパケット伝送速度を決定するために以前使用された場合、前記ノードからＡＣＫを受信することなく前記ノードに前記少なくとも１つのパケットを伝送した後に、前記ＲＳＳＩレベルの前記ＲＳＳＩレベルの合計パケット伝送カウンタは増分されることを特徴とする請求項４０に記載のＷＴＲＵ。
【請求項４６】
前記ＲＳＳＩレベルのパケット誤り率（ＰＥＲ）は前記メモリ内で更新され、前記ＰＥＲが安定している場合、前記ＲＳＳＩレベルの好ましいパケット伝送速度もまた前記メモリ内で更新されることを特徴とする請求項４５に記載のＷＴＲＵ。
【請求項４７】
前記パケット伝送カウンタは受信信号強度インジケータ（ＲＳＳＩ）レベルの合計パケット伝送カウンタおよびＲＳＳＩレベルのパケット伝送エラーカウンタを含むことを特徴とする請求項２９に記載のＷＴＲＵ。
【請求項４８】
前記ノードに前記少なくとも１つのパケットを伝送した後に前記ノードから受信されたＡＣＫのＲＳＳＩ測定は前記メモリから取り出され、前記ＲＳＳＩレベルに対する前記ＲＳＳＩレベルの合計パケット伝送カウンタはＡＣＫの前記ＲＳＳＩレベルに対して増分されることを特徴とする請求項４７に記載のＷＴＲＵ。
【請求項４９】
前記ノードからＡＣＫを受信することなく前記少なくとも１つのパケットが前記ノードに伝送された場合、最後のＭａｘｉｍｕｍ  Ｄｕｒａｔｉｏｎ期間内に前記ノードから受信されたパケットに使用可能なＲＳＳＩ測定があるかどうかについて決定が行われ、ある場合には、前記測定の前記ＲＳＳＩレベルが決定され、前記ＲＳＳＩレベルの合計パケット伝送カウンタおよび前記ＲＳＳＩレベルのパケット伝送エラーカウンタは増分されることを特徴とする請求項４７に記載のＷＴＲＵ。
【請求項５０】
前記ＲＳＳＩレベルのパケット誤り率（ＰＥＲ）は前記メモリ内で更新され、前記ＰＥＲが安定している場合、前記ＲＳＳＩレベルの好ましいパケット伝送速度もまた前記メモリ内で更新されることを特徴とする請求項４９に記載のＷＴＲＵ。
【請求項５１】
前記ＷＴＲＵは前記ノードから受信された速度コマンドに基づいて前記特定のパケット伝送速度を設定し、前記受信された速度コマンドに基づいてパケットを伝送することを特徴とする請求項２９に記載のＷＴＲＵ。
【請求項５２】
無線送信／受信ユニット（ＷＴＲＵ）に組み込まれ、前記ＷＴＲＵがアンテナを介して伝送するパケットのパケット伝送速度を調整する集積回路（ＩＣ）であって、
（ａ）特定のパケット伝送速度で少なくとも１つのパケットをノードに伝送する送信機と、
（ｂ）前記少なくとも１つのパケットを受信して、受信を確認する前記ノードから肯定応答（ＡＣＫ）信号を受信する受信機と、
（ｃ）前記送信機および前記受信機と通信するプロセッサと、
（ｄ）前記プロセッサと通信するメモリと、
（ｅ）前記プロセッサと通信する伝送速度データベースと、
（ｆ）前記プロセッサと通信する複数のパケット伝送カウンタと
を備えることを特徴とするＩＣ。
【請求項５３】
前記特定のパケット伝送速度は最初にデフォルトの速度に設定されることを特徴とする請求項５２に記載のＩＣ。
【請求項５４】
前記パケット伝送カウンタは合計成功パケット伝送カウンタおよび個別パケット伝送エラーカウンタを含むことを特徴とする請求項５２に記載のＩＣ。
【請求項５５】
前記合計成功パケット伝送カウンタは前記受信機が前記ノードからＡＣＫを受信したときに増分されることを特徴とする請求項５４に記載のＩＣ。
【請求項５６】
前記個別パケット伝送エラーカウンタは前記受信機が前記ノードからＡＣＫを受信したときにゼロにリセットされることを特徴とする請求項５５に記載のＩＣ。
【請求項５７】
前記パケット伝送カウンタは合計失敗パケット伝送カウンタをさらに含み、前記プロセッサは前記合計成功パケット伝送カウンタの第１のカウント値と前記合計失敗パケット伝送カウンタの第２のカウント値の合計に基づいて前記特定のパケット伝送速度を調整するかどうかを決定することを特徴とする請求項５６に記載のＩＣ。
【請求項５８】
前記合計がパケット伝送速度の増加を必要とするパケットのあらかじめ定められた数よりも大きいかまたはこれと等しい場合、前記特定のパケット伝送速度が増加されることを特徴とする請求項５７に記載のＩＣ。
【請求項５９】
前記第１のカウント値に対する前記第２のカウント値の比率があらかじめ定められたパケット伝送速度の増加率よりも小さい場合、前記特定のパケット伝送速度が増加されることを特徴とする請求項５８に記載のＩＣ。
【請求項６０】
前記パケット伝送カウンタは合計失敗パケット伝送カウンタおよび個別パケット伝送エラーカウンタを含むことを特徴とする請求項５２に記載のＩＣ。
【請求項６１】
前記合計失敗パケット伝送カウンタおよび前記個別パケット伝送エラーカウンタは、前記少なくとも１つのパケットを前記ノードに伝送した後に前記受信機が前記ノードからＡＣＫを受信しないときに増分されることを特徴とする請求項６０に記載のＩＣ。
【請求項６２】
前記特定のパケット伝送速度は、前記個別パケット伝送エラーカウンタのカウント値に基づいて前記伝送速度データベースに指定された１つまたは複数のサポートされる速度ステップだけ減少されることを特徴とする請求項６１に記載のＩＣ。
【請求項６３】
前記パケット伝送カウンタは受信信号強度インジケータ（ＲＳＳＩ）レベルの合計パケット伝送カウンタを含むことを特徴とする請求項５２に記載のＩＣ。
【請求項６４】
ＲＳＳＩトレーニングプロセスが前記特定のパケット伝送速度を決定するために以前使用されなかった場合、前記ノードに前記少なくとも１つのパケットを伝送した後に前記ノードから受信されたＡＣＫのＲＳＳＩ測定は前記メモリから取り出され、前記ＲＳＳＩ測定は前記プロセッサによって決定され、前記ＲＳＳＩレベルに対する前記ＲＳＳＩレベルの合計パケット伝送カウンタは増分されることを特徴とする請求項６３に記載のＩＣ。
【請求項６５】
前記ＲＳＳＩレベルのパケット誤り率（ＰＥＲ）は前記メモリ内で更新され、前記ＰＥＲが安定している場合、前記ＲＳＳＩレベルの好ましいパケット伝送速度もまた前記メモリ内で更新されることを特徴とする請求項６４に記載のＩＣ。
【請求項６６】
ＲＳＳＩトレーニングプロセスが前記特定のパケット伝送速度を決定するために以前使用された場合、前記ノードに前記少なくとも１つのパケットを伝送した後に前記ノードから受信されたＡＣＫのＲＳＳＩ測定は前記メモリから取り出され、前記ＲＳＳＩ測定は前記プロセッサによって決定され、前記ＲＳＳＩレベルに対する前記ＲＳＳＩレベルの合計パケット伝送カウンタは増分されることを特徴とする請求項６３に記載のＩＣ。
【請求項６７】
前記ＲＳＳＩレベルのパケット誤り率（ＰＥＲ）は前記メモリ内で更新され、前記ＰＥＲが安定している場合、前記ＲＳＳＩレベルの好ましいパケット伝送速度もまた前記メモリ内で更新されることを特徴とする請求項６６に記載のＩＣ。
【請求項６８】
ＲＳＳＩトレーニングプロセスが前記特定のパケット伝送速度を決定するために以前使用された場合、前記ノードからＡＣＫを受信することなく前記ノードに前記少なくとも１つのパケットを伝送した後に、前記ＲＳＳＩレベルの前記ＲＳＳＩレベルの合計パケット伝送カウンタは増分されることを特徴とする請求項６３に記載のＩＣ。
【請求項６９】
前記ＲＳＳＩレベルのパケット誤り率（ＰＥＲ）は前記メモリ内で更新され、前記ＰＥＲが安定している場合、前記ＲＳＳＩレベルの好ましいパケット伝送速度もまた前記メモリ内で更新されることを特徴とする請求項６８に記載のＩＣ。
【請求項７０】
前記パケット伝送カウンタは受信信号強度インジケータ（ＲＳＳＩ）レベルの合計パケット伝送カウンタおよびＲＳＳＩレベルのパケット伝送エラーカウンタを含むことを特徴とする請求項５２に記載のＩＣ。
【請求項７１】
前記ノードに前記少なくとも１つのパケットを伝送した後に前記ノードから受信されたＡＣＫのＲＳＳＩ測定は前記メモリから取り出され、前記ＲＳＳＩレベルに対する前記ＲＳＳＩレベルの合計パケット伝送カウンタは前記ＡＣＫの前記ＲＳＳＩレベルに対して増分されることを特徴とする請求項７０に記載のＩＣ。
【請求項７２】
前記ノードからＡＣＫを受信することなく前記少なくとも１つのパケットが前記ノードに伝送された場合、最後のＭａｘｉｍｕｍ  Ｄｕｒａｔｉｏｎ期間内に前記ノードから受信されたパケットに使用可能なＲＳＳＩ測定があるかどうかについて決定が行われ、ある場合には、前記測定の前記ＲＳＳＩレベルが決定され、前記ＲＳＳＩレベルの合計パケット伝送カウンタおよび前記ＲＳＳＩレベルのパケット伝送エラーカウンタは増分されることを特徴とする請求項７０に記載のＩＣ。
【請求項７３】
前記ＲＳＳＩレベルのパケット誤り率（ＰＥＲ）は前記メモリ内で更新され、前記ＰＥＲが安定している場合、前記ＲＳＳＩレベルの好ましいパケット伝送速度もまた前記メモリ内で更新されることを特徴とする請求項７２に記載のＩＣ。
【請求項７４】
前記ＩＣは前記ノードから受信された速度コマンドに基づいて前記特定のパケット伝送速度を設定し、前記受信された速度コマンドに基づいてパケットを伝送することを特徴とする請求項５２に記載のＩＣ。
【発明の詳細な説明】
【技術分野】
【０００１】
本発明は、無線通信システムにおけるデータ伝送に関する。具体的に、本発明は、さまざまなフェーディング条件に応答してパケット伝送速度を動的に適応させることに関する。
【背景技術】
【０００２】
無線ローカルエリアネットワーク（ＷＬＡＮ）のような無線通信システムは、当技術分野においてよく知られている。一般に、そのようなシステムは、相互の間で無線通信信号を送信および受信する送受信機（つまり、通信局（ＳＴＡ））を備える。システムの種類に応じて、送受信機は、アクセスポイント（ＡＰ）、無線送信／受信ユニット（ＷＴＲＵ）、ノードまたは同様のものの形態をとることができる。
【０００３】
図１は、ＡＰ１２が複数のＷＴＲＵ１４に通信サービスを提供する標準的な無線通信システム１０を示す。ＡＰ１２は、オプションのアクセス制御装置（ＡＣ）１６を通じてネットワーク１８と通信することができ、それによりインターネットまたは公共電話網（ＰＳＴＮ）へのアクセスのような追加のネットワークサービスをＷＴＲＵ１４に提供する。代替として、ＡＰ１２は、ＡＣ１６を経由することなく、ネットワーク１８と直接通信することができる。
【０００４】
理想的には、システム１０内のすべての接続は、パフォーマンスおよび全般的なシステム能力を最大化するために最高達成可能伝送速度で動作すべきである。しかし、受信機において比較的高い信号対雑音比（ＳＮＲ）が必要となるため、高いデータ転送速度で許容可能な品質を達成することは必ずしも常に可能ではない。
【０００５】
このことは、パケットを受信する送受信機によって認識されるＳＮＲ条件に応じて、パケットが伝送される速度を調整することが有益になるような状況を作り出す。しかし、システム１０は、受信した信号電力、ＳＮＲ、またはパケット誤り率（ＰＥＲ）に関して認識したチャネル品質をパケットの送信元に転送するメカニズムを備えていない。したがって、システム１０内のＡＰ１２およびＷＴＲＵ１４の伝送速度を調整するための決定の基準は、ローカル伝送条件に限定される。
【発明の開示】
【発明が解決しようとする課題】
【０００６】
本発明は、第１の送受信機が第２の送受信機から受け取る信号に基づいて、第２の送受信機に伝送されるパケットの伝送速度を調整するための、第１の送受信機（たとえばＷＴＲＵ、ＡＰ、ノードなど）に使用する方法および装置に関する。１つの実施形態において、伝送ＰＥＲ（Ｔｘ  ＰＥＲ）プロセスは、パケット伝送速度を調整するために使用される。もう１つの実施形態において、相対信号強度インジケータ（ＲＳＳＩ）ベースのプロセスが使用され、それにより第１の送受信機において第２の送受信機から受信されたパケットのＲＳＳＩがパケット伝送速度を調整するために使用される。もう１つの実施形態において、伝送品質インジケータは第２の送受信機において測定され第１の送受信機に送信されるが、これが品質インジケータに基づいて新しいパケット伝送速度を導き出す。オプションで、第２の送受信機は、好ましいパケット伝送速度を決定して、それを第１の送受信機に送信するが、これが適宜そのパケット伝送速度を調整する。
【０００７】
パケット伝送速度を決定するための２つの異なるプロセス（つまり、Ｔｘ  ＰＥＲプロセスおよびＲＳＳＩベースのプロセス）が本明細書において開示されるが、これらのプロセスは個別に使用されても、相互連動して使用されても、あるいは他のプロセスと併せて使用されてもよい。
【０００８】
本発明によれば、送受信機は、送受信機において行われた測定に基づいて、複数の使用可能な速度から好ましいデータ伝送速度を選択する。これらの測定値は、送受信機において受信されたパケットの受信信号強度（Ｒｘ電力）および送受信機によって伝送された信号のＴｘ  ＰＥＲであり、これらは対応する肯定応答（ＡＣＫ）がもう一方の送受信機から受信されないと毎回パケットは誤りになると仮定することによって推論されうる。送受信機は、許容可能なサービス品質（ＱｏＳ）を保持しながら、同時に使用可能な最善のデータ伝送速度を迅速に確立することができる。その後、送受信機は、フェーディング条件の変化に対応してその伝送速度を適応させることができる。
【０００９】
本発明のさらに詳細な理解は、例示により示され、添付の図面と併せて理解される、以下の説明から得ることができる。
【００１０】
【表１】
2008533776.tif 000003
【課題を解決するための手段】
【００１１】
これ以降使用されるＡＰという用語は、基地局、ノードＢ、サイトコントローラ、無線ルーター、またはＡＰが関連付けられているネットワークへの無線アクセスをＷＴＲＵに提供する無線環境における他の任意の種類のインターフェイス接続装置を含むが、これらに限定されることはない。
【００１２】
これ以降使用されるＷＴＲＵという用語は、クライアント局（ＣＳ）、ユーザー機器（ＵＥ）、局（ＳＴＡ）、移動局、固定または移動加入者ユニット、ページャ、または無線環境において動作することのできる他の任意の種類のユーザー装置を含むが、これらに限定されることはない。そのようなＷＴＲＵは、電話、テレビ電話、およびネットワーク接続を備えるインターネット対応電話などのパーソナル通信装置を含む。加えて、ＷＴＲＵは、ＰＤＡおよび同様のネットワーク機能を有する無線モデムを装備したノートブックコンピュータのような携帯型パーソナルコンピュータ装置を含む。ポータブルであるか、または場所を変更することができるＷＴＲＵは、モバイルユニットと呼ばれる。
【００１３】
これ以降使用される無線接続は、相互の間でパケットを送受信することができるノードのペア間の無線通信として定義される。各無線接続は、パケットの送信機および受信機の役割がノード間で適切な時期に交互に切り替えられる一対のノードを含む。たとえば、２つのＷＴＲＵが単一のＡＰと通信しているようなインフラストラクチャモードにおいて動作している無線通信システムは、２つの無線接続から構成される。速度制御プロセスは各伝送ノードに常駐すべきであり、その目的は、各パケットがそれぞれのアクティブな無線接続に対して伝送される最適速度を決定することである。
【００１４】
好ましくは、本明細書において説明されるさまざまな送信機および受信機の機能を実装する回路が、特殊用途向け集積回路（ＡＳＩＣ）のような単一の集積回路上に組み入れられうる。しかし、回路はまた、複数の個別コンポーネント、および／または別個の集積回路を使用して容易に実装されうる。
【００１５】
本明細書において説明される特定の送信機および受信機の構成は、限定的ではなく例示的に示されるに過ぎない。本発明に従うその他の変形および変更は、当業者によって理解されるであろう。
【００１６】
本発明は、１つまたは複数の無線接続に従事する送受信機（すなわちＷＴＲＵ、ＡＰ、ノード）が、各無線チャネルの経時変化する伝搬条件に従ってその伝送速度を動的に適応させることができる新規な装置および方法である。これを行うために、本発明は、２つのプロセスに依存し、特定の測定値の可用性および妥当性に応じて好ましい伝送速度を決定する。第１のプロセスにおいて、Ｔｘ  ＰＥＲプロセスは、本発明においてＴｘ  ＰＥＲベースのプロセスと呼ばれ、最善伝送速度を決定するために使用される。代替として、最善伝送速度は、伝送されたパケットのＴｘ  ＰＥＲと相関する、そのＲｘ電力に関連する受信パケットのＲＳＳＩまたはその他のメトリックに基づいて決定される。ＲＳＳＩは、本明細書においてＲＳＳＩトレーニングプロセスと呼ばれるプロセスにおいて、Ｔｘ  ＰＥＲと相関性がある。ＲＳＳＩはＲＳＳＩトレーニングプロセスの好ましい実施形態の説明において使用されるが、代替実施形態はＳＮＲのような他のメトリックを使用することもできる。
【発明を実施するための最良の形態】
【００１７】
図２は、本発明により構成されたＷＴＲＵ１００を示す模範的なブロック図である。本明細書においてＷＴＲＵ１００に対して開示される同様の模範的な構成はまた、ＡＰに組み込まれてもよい。ＷＴＲＵ１００は、少なくとも１つのアンテナ１０２、送信機１０４、受信機１０６、プロセッサ１０８、伝送速度データベース１１０、およびメモリ１１２を含む。送信機１０４は、送信速度データベース１１０に格納されている複数の使用可能な伝送速度から選択された伝送速度で、アンテナ１０２を介して発信信号１１４を送信するように構成される。受信機１０６は、アンテナ１０２から着信信号１１６を受信するように構成される。プロセッサ１０８は、送信機１０４、受信機１０６、伝送速度データベース１１０、およびメモリ１１２に結合されている。プロセッサ１０８は、伝送速度データベース１１０から伝送速度を選択し、送信機１０４の現行伝送速度を選択された速度に変更する。この選択は、着信信号１１４の評価に基づいても、着信信号１１４および発信信号１１６の両方の評価に基づいてもよく、あるいは受信機１０６において受信された速度コマンドに基づいてもよい。メモリ１１２は、着信信号１１６および／または発信信号１１４に関してデータを格納するため、かつ／または受信機１０６において受信された速度コマンドに関してデータを格納するために使用される。プロセッサ１０８は、メモリ１１２に格納されているデータを処理するように構成され、送信機１０４の伝送速度を選択して変更するための将来のアクセスに備えてメモリ１１２に処理済みデータの結果を格納するように構成される。
【００１８】
ＷＴＲＵ１００はさらに、合計成功パケット伝送カウンタ１２０、個別パケット伝送エラーカウンタ１２２、合計失敗パケット伝送カウンタ１２４、ＲＳＳＩレベルの合計パケット伝送カウンタ１２６、およびＲＳＳＩレベルのパケット伝送エラーカウンタ１２８を含む複数のパケット伝送カウンタを含む。パケット伝送カウンタ１２０、１２２、１２４、１２６、および１２８の機能は、個別的に、または保守されるセットとして、データベース、プロセッサ、ソフトウェア、または同種のもののうちの１つまたは複数によって実施されうる。たとえば、パケット伝送カウンタ１２０、１２２、１２４、１２６、および１２８と関連付けられている測定値の複数のセットは、ＷＴＲＵ１００が特定の通信リンクを介して通信する各ＳＴＡ、ＡＰ、ＷＴＲＵまたは同種のものに関連付けられているパケット伝送速度を個別に制御するように保守されうる。
【００１９】
本発明により実施されるプロセスについて説明する前に、以下の表２に一覧されているいくつかの用語を定義することが有利である。本発明のプロセスはこれらの用語で説明されるが、これらの用語を採用することが必須ではなく、むしろ、用語はプロセスの態様を説明するために単に便利な方法であることを理解されたい。１つの実施態様において、パラメータはメモリに格納されて必要に応じて更新されうるか、または任意の適切な方法で保持されて更新されうる。
【００２０】
【表２】
2008533776.tif 000004
【００２１】
【表３】
2008533776.tif 000005
【００２２】
図３は、本発明により実施される全体的速度適応プロセス３００を示す流れ図である。伝送速度は、図２のＷＴＲＵ１００のプロセッサ１０８によって実施される、Ｔｘ  ＰＥＲベースのプロセスまたはＲＳＳＩベースのプロセスを使用して決定される。どのプロセスを使用するかの決定は、ＲＳＳＩベースのプロセスが以前トレーニングされているかどうか、および有効なＲＳＳＩ測定が特定のＲＳＳＩレベルにおいて使用可能であるかどうかに基づいている。トレーニングされ使用可能である場合、ＲＳＳＩベースのプロセスは、伝送速度を決定するために使用される。それ以外の場合、Ｔｘ  ＰＥＲベースのプロセスが使用される。いずれの場合においても、パケットはプロセスのうちの１つによって決定された速度で伝送され、その後のパケット伝送の成功または失敗は、ＲＳＳＩベースのプロセスを動的にトレーニングするため、および伝送速度を調整するために使用される。
【００２３】
有効なＲＳＳＩ測定は、送信機が最近パケットを送信したノードから、あらかじめ定められた期間（本明細書においてＭａｘｉｍｕｍ  Ｄｕｒａｔｉｏｎと呼ぶ）内に受信されたパケットのＲＳＳＩ測定として定義される。Ｍａｘｉｍｕｍ  Ｄｕｒａｔｉｏｎは、チャネルのコヒーレンス時間を表している。受信されるパケットは、たとえばＤＡＴＡ、ＡＣＫ、ＲＴＳ、ＣＴＳ、など、任意のタイプであってもよい。
【００２４】
図３に示されるように、全体的速度適応プロセス３００は、第１の局（つまりＷＴＲＵ１００）が、第１の局のパケット伝送速度をデフォルトの速度に設定することにより（ステップ３０５）、初めてパケットを第２の局に初めて伝送する準備が整ったときに開始する。第１の局が第２の局に伝送するパケットを有する場合（ステップ３１０）、最後のＭａｘｉｍｕｍ  Ｄｕｒａｔｉｏｎ期間内に第２の局から受信されたパケットに使用可能な有効ＲＳＳＩ測定があるかどうかについて決定が行われる（ステップ３１５）。
【００２５】
継続期間内に受信されたパケットがない場合、または受信されたパケットにそのような測定が使用可能ではない場合、第１の局のパケット伝送速度を決定するためにＴｘ  ＰＥＲベースのプロセスが呼び出される（ステップ３２０）が、これについては以下で詳細に説明される。
【００２６】
しかし、ステップ３１５において有効なＲＳＳＩ測定が使用可能であると決定された場合、使用可能な有効ＲＳＳＩ測定のＲＳＳＩレベルの決定が実行される（ステップ３２５）。ステップ３２５において、有効なＲＳＳＩ測定が複数のＲＳＳＩレベルに対して存在すると決定された場合、代表的なＲＳＳＩレベルが決定される。代表的なＲＳＳＩレベルは、最新のＲＳＳＩ値に基づいてもよく、または統計値（平均など）であってもよく、複数のＲＳＳＩ値に基づくかまたは他の値と併せてＲＳＳＩ値に基づいていてもよい。ステップ３３０において、最後のＭａｘｉｍｕｍ  Ｄｕｒａｔｉｏｎ期間内のこのＲＳＳＩレベルにおいてＲＳＳＩプロセスがトレーニングされているかどうかの決定が行われる。トレーニングされている場合、第１の局のパケット伝送速度は、ＲＳＳＩトレーニングプロセスによって決定されたＲＳＳＩレベルの好ましい速度に設定され（ステップ３３５）、パケットは伝送され（ステップ３４０）、ＲＳＳＩトレーニングプロセスが呼び出される（ステップ３４５）。プロセス３００は、第１の局が第２の局に伝送すべき別のパケットを有する場合、ステップ３１０に戻る。伝送したパケットの成功または失敗は、以下でＴｘ  ＰＥＲプロセスが説明された後に説明されるように、ＲＳＳＩトレーニングプロセス３４５によって指示された好ましい伝送速度を動的に更新するために使用される。
【００２７】
ステップ３３０において、ＲＳＳＩプロセスが最後のＭａｘｉｍｕｍ  Ｄｕｒａｔｉｏｎ期間内にこのＲＳＳＩレベルでトレーニングされなかったことが決定された場合、第１の局のパケット伝送速度を決定するためにＴｘ  ＰＥＲベースのプロセスが呼び出される（ステップ３２０）。次に、パケットは伝送され（ステップ３４０）、ＲＳＳＩトレーニングプロセスが呼び出される（ステップ３４５）。
【００２８】
図４は、図３の全体的速度適応プロセス３００のＴｘ  ＰＥＲベースのプロセス３２０を示す流れ図である。一般に、Ｔｘ  ＰＥＲベースのプロセス３２０に従って、図２のＷＴＲＵ１００の送信機１０４は、受信側ノードへの伝送時に経験する伝送イベントに反応することによりそのパケット伝送速度を調整する。
【００２９】
図２のＷＴＲＵ１００の送信機１０４が連続パケット伝送エラーを経験した場合、そのパケット伝送速度は、本明細書においてＲａｔｅ  Ｄｏｗｎ  Ｔｒｉｇｇｅｒと呼ばれる、あらかじめ定められたプランまたはパターンに従って減少される。Ｒａｔｅ  Ｄｏｗｎ  Ｔｒｉｇｇｅｒは、図２のＷＴＲＵ１００のメモリ１１２に格納されたベクトルであってもよい。Ｒａｔｅ  Ｄｏｗｎ  Ｔｒｉｇｇｅｒは、それぞれの連続パケット伝送エラーの後に、パケット伝送速度が次のパケット再伝送の試行の前に減少されるべきかどうか、またそうである場合はどのくらい減少されるべきであるかを指示する。次に、指示された速度の減少がある場合は、それが実施される。パケット伝送速度は、パケットの伝送が成功するまで、またはパケット伝送速度があらかじめ定められた最小パケット伝送速度に減少するまで、このように減少される。
【００３０】
たとえば、ＷＴＲＵ１００がＩＥＥＥ８０２．１１ａシステムで使用するように構成される場合、昇順ステップ（つまりサポートされるパケット伝送速度のレベル）でソートされたサポートされるパケット伝送速度は、６、９、１２、１８、２４、３６、４８、および５４Ｍｂｐｓである。その場合、［０，０，１，１，２，２，１，０］のＲａｔｅ  Ｄｏｗｎ  Ｔｒｉｇｇｅｒベクトルは、ＷＴＲＵ１００が第３の再伝送の試行後（つまり特定のパケットの３回の伝送エラー後）までそのパケット伝送速度を減少させず、その時点でパケット伝送速度が１ステップだけ減少されることを示す。したがって、ＷＴＲＵ１００が第３の伝送エラーの後に５４Ｍｂｐｓで動作している場合、伝送速度は１ステップ減少されて４８Ｍｂｐｓになり、再度パケットは再伝送されることになる。伝送エラーが引き続き生じる場合、速度は第４の再伝送でさらに１ステップ減少されて３６Ｍｂｐｓになり、その後第５の再伝送（１８Ｍｂｐｓに）および第６の再伝送（９Ｍｂｐｓに）でさらに２ステップ減少され、次いで１ステップ（最低サポート速度の６Ｍｂｐｓに）減少される。
【００３１】
一方、ＷＴＲＵ１００の送信機１０４が連続して伝送の成功を経験する場合、送信機１０４の伝送速度はＴｘ  ＰＥＲベースのプロセス３２０に従って増加される。この場合、伝送速度は、送信機１０４によって経験されたＴｘ  ＰＥＲが、受信側ノードに伝送された十分なパケット数に対して特定のしきい値以下に低下したときに、次のサポートされるステップまで増加される。
【００３２】
図４に示されるように、ＡＣＫが受信された場合（ステップ４０５）、ＷＴＲＵ１００の合計成功パケット伝送カウンタ１２０は増分され、ＷＴＲＵ１００の個別パケット伝送エラーカウンタ１２２はゼロにリセットされる（ステップ４３０）。これらのカウンタ１２０、１２２は、以下で説明されるように、伝送速度が増加されるべきかどうかを決定するために使用される。
【００３３】
ステップ４０５においてＡＣＫが受信されない場合、ＷＴＲＵ１００の合計失敗パケット伝送カウンタ１２４は増分され、個別パケット伝送エラーカウンタ１２２もまた増分される（ステップ４１０）。Ｒａｔｅ  Ｄｏｗｎ  Ｔｒｉｇｇｅｒベクトルは、パケット伝送速度が個別パケット伝送エラーカウント値に対して減少されるべきかどうか、またそうである場合はどのくらい減少されるべきであるかを決定するために検査される（ステップ４１５）。Ｒａｔｅ  Ｄｏｗｎ  Ｔｒｉｇｇｅｒが、パケット伝送速度は減少されるべきでないことを指示する場合、同パケットは再伝送されるように準備される。しかし、Ｒａｔｅ  Ｄｏｗｎ  Ｔｒｉｇｇｅｒがステップ４１５において、パケット伝送速度は１つまたは複数のステップだけ減少されるべきであることを指示する場合、パケット伝送速度はＲａｔｅ  Ｄｏｗｎ  Ｔｒｉｇｇｅｒによって指示されるステップ数だけ減少され、合計成功パケット伝送カウンタ１２０および合計失敗パケット伝送カウンタ１２４はゼロにリセットされる（ステップ４２０）。次に、同パケットは、Ｒａｔｅ  Ｄｏｗｎ  Ｔｒｉｇｇｅｒによって指示されるパケット伝送速度で再伝送されるように準備される（ステップ４２５）。Ｔｘ  ＰＥＲベースのプロセス３２０は、パケット伝送速度がサポートされる最低伝送速度と等しくなるまで、またはＡＣＫが受信されるまで、通信セッション中に繰り返されうる。
【００３４】
伝送速度の減少を引き起こす前に連続するエラーイベントが経験されるよう要求することは、結果として、パケット衝突により生じたエラーイベントと劣悪な信号状態により生じたエラーイベントとを区別する傾向のある方法に至る。これはまた、パケットエラーイベントの数の平均を考慮する基準よりも迅速な速度減少反応を可能にし、すでに実施された速度減少がより確実な通信に至らないときに追加の伝送速度減少を行う。
【００３５】
ステップ４０５において伝送されたパケットに応答してＡＣＫが受信されなかったと決定された場合、合計成功パケット伝送カウンタ１２０は増分され、個別パケット伝送エラーカウンタ１２２はゼロにリセットされる（ステップ４３０）。次いで、伝送速度の増加が望ましいかどうか決定される。一般に、伝送エラーを生じるパケット伝送の比率は、伝送速度が増大するにつれて高まる。好ましい伝送速度は、引き続き許容可能なサービス品質を達成しながら、使用されうる最大のサポートされる速度である。サービス品質は、たとえば、伝送パケット誤り率として、または伝送成功に対する伝送エラーの比率として表されうる。したがって、送信機が、許容可能なサービス品質を維持するために必要とされるよりも大きい伝送エラー対伝送成功の比率の低下を経験した場合に、送信速度の増大が望ましい。
【００３６】
Ｔｘ  ＰＥＲベースのプロセス３２０は、合計成功パケット伝送カウントと合計失敗パケット伝送カウントを最初に合計する（つまり、伝送開始以降または最後のパケット伝送速度の変更以降の合計パケット伝送数を求める）ことにより、パケット伝送速度の増加が望ましいかどうかを決定する。この合計は、しきい値（本明細書においてＰａｃｋｅｔｓ  Ｎｅｅｄｅｄ  Ｆｏｒ  Ｒａｔｅ  Ｉｎｃｒｅａｓｅと呼ぶ）と比較される（ステップ４３５）。Ｐａｃｋｅｔｓ  Ｎｅｅｄｅｄ  Ｆｏｒ  Ｒａｔｅ  Ｉｎｃｒｅａｓｅは、速度増加が許可されるために発生した最後のパケット伝送速度変更以降に伝送されているはずのパケットの最小数を示す。合計がＰａｃｋｅｔｓ  Ｎｅｅｄｅｄ  Ｆｏｒ  Ｒａｔｅ  Ｉｎｃｒｅａｓｅよりも大きいか、またはこれと等しい場合、パケット伝送速度調整は許可されず、パケット伝送速度は増加されない。
【００３７】
合計成功パケット伝送カウントと合計失敗パケット伝送カウントの合計が、Ｐａｃｋｅｔｓ  Ｎｅｅｄｅｄ  Ｆｏｒ  Ｒａｔｅ  Ｉｎｃｒｅａｓｅよりも大きいか、またはこれと等しい場合（ステップ４３５）、プロセス３２０は速度増加が正当化されるかどうか決定する。伝送失敗の比率が望ましいＱｏＳを維持するために許可されている比率よりも小さい場合、速度増加は正当化される。伝送失敗の比率は、たとえば、伝送成功に対する伝送失敗の比率を決定することにより、または任意の他の適切な方法で指示されうる。パケット伝送速度の増加は、合計成功パケット伝送カウントに対する合計失敗パケット伝送カウントの比率が許容可能なＱｏＳを維持するために必要とされる比率よりも小さい場合に、正当であると決定される。許容可能なＱｏＳを維持するために必要とされる比率は、しきい値（本明細書においてＲａｔｅ  Ｉｎｃｒｅａｓｅ  Ｒａｔｉｏと呼ぶ）である。合計成功パケット伝送カウントに対する合計失敗パケット伝送カウントの比率が、ステップ４４０においてＲａｔｅ  Ｉｎｃｒｅａｓｅ  Ｒａｔｉｏよりも小さくないと決定された場合に、パケット伝送速度の増加は正当化されず、パケット伝送速度は調整されない。
【００３８】
しかし、合計成功パケット伝送カウントに対する合計失敗パケット伝送カウントの比率が、ステップ４４０においてＲａｔｅ  Ｉｎｃｒｅａｓｅ  Ｒａｔｉｏよりも小さいと決定された場合、パケット伝送速度は次に高いステップ（つまり次に大きいサポートされるパケット伝送速度）が使用可能であれば、その速度まで増加され、合計成功パケット伝送カウンタおよび合計失敗パケット伝送カウンタは共にゼロにリセットされる（ステップ４４５）。通信セッション中に、プロセス２５は、サポートされる最大伝送速度に到達するか、またはＡＣＫが受信されなくなるまで繰り返されうる。
【００３９】
第１の局（本発明が実施される）と第２の局の間で通信が進行するにつれて、ＲＳＳＩプロセスは第１の局において動的にトレーニングされる。ＲＳＳＩプロセスがトレーニングされるとき、第１の局の好ましい伝送速度を決定するのは好ましくはＲＳＳＩプロセスである。ＲＳＳＩベースの速度適応プロセスは、第１の局において第２の局から受信されたパケットの受信電力の変動に反応することにより、パケットが第１の局によって第２の局に送信されるパケット伝送速度を適合させる。模範的な実施形態において、受信電力は、受信されたパケットの測定されたＲＳＳＩに反映される。ただし、ＳＮＲまたは受信電力に関連する他のメトリックもまた、使用されうる。
【００４０】
ＲＳＳＩベースのプロセスは、第１の局によって第２の局に送信されるパケットのＴｘ  ＰＥＲを第１の局において第２の局から受信されたパケットのＲＳＳＩと動的に相関させる。この動的相関は、本明細書において、ＲＳＳＩベースのプロセスをトレーニングすることと称される。相関は、第１の局によって使用されるそれぞれのサポートされる伝送速度ごとに別個に行われる。受信信号の電力の予想される範囲を別個のレベルに分割することは有用である。たとえば、受信される信号電力の予想される範囲が−９７ｄＢｍから−６４ｄＢｍである場合、範囲は３ｄＢｍ間隔で区切られたレベル（たとえば−９７ｄＢｍから−９４ｄＢｍ、−９４ｄＢｍから−９１ｄＢｍ、．．．−６７ｄＢｍから−６４ｄＢｍ、合計１２の別個の電力レベル）に都合よく分割されうる。−９７ｄＢｍ未満の受信電力は、追加の電力レベルにグループ化され、−６４ｄＢｍよりも大きい受信電力はさらにもう１つの電力レベルにグループ化されうる。−９７ｄＢｍから−６４ｄＢｍの範囲、３ｄＢｍごとに区切られたレベルへの範囲の分割、および１２番目の別個の電力レベルは、限定ではなく例示のためのみに使用されることを理解されたい。
【００４１】
Ｔｘ  ＰＥＲと受信パケットのＲＳＳＩとの関係は、第１の局から第２の局に送信された各パケット、および第２の局から第１の局に送信された各パケットの第１の局における測定および情報を収集することによって決定される。第１の局から第２の局に送信された各パケットに関して収集された情報は、パケットが送信された伝送速度、および伝送が成功したか（ＡＣＫ受信）、または伝送エラーを生じたか（ＡＣＫ受信せず）どうかを含む。この情報から、Ｔｘ  ＰＥＲは、使用された各伝送速度において計算される。
【００４２】
第２の局から第１の局に送信されたパケットに関して収集された情報は、各受信パケットの信号強度の測定（ＲＳＳＩなど）とパケットが受信された時刻を含む。ＲＳＳＩ測定は、Ｍａｘｉｍｕｍ  Ｄｕｒａｔｉｏｎとして指定された時間の長さに対してのみ有効と見なされる。ＲＳＳＩトレーニングの場合、あらゆるパケットタイプが使用されうる（たとえば、ＤＡＴＡ、ＡＣＫ、ＲＴＳ、ＣＴＳ、など）ことに留意されたい。Ｍａｘｉｍｕｍ  Ｄｕｒａｔｉｏｎ期間内に複数のパケットが第２の局から受信された場合、プロセスは、最後に受信されたパケットからＲＳＳＩを使用するか、または複数のパケットに基づいて統計（平均など）を計算することができる。成功した伝送の場合において伝送されたパケットを確認したＡＣＫフレームのＲＳＳＩ測定は、パケットが送信されてＡＣＫが受信されるまでの間に経過した時間が短いため、特に関連している。したがって、第１の模範的な実施形態において、ＡＣＫ信号のＲＳＳＩのみが使用される。
【００４３】
この実施形態において、ＲＳＳＩトレーニングプロセスは、確認されている関連付けられた伝送パケットの伝送速度で受信された各ＡＣＫのＲＳＳＩと関連している。ＡＣＫが受信される場合、そのＲＳＳＩが測定され、そのＲＳＳＩレベルが決定され、パケット伝送は使用される伝送速度におけるそのＲＳＳＩレベルに帰属される。ＡＣＫが受信されない場合は、伝送エラーであると仮定される。その場合、伝送速度を選択するためにＲＳＳＩプロセスが使用されなかったのであれば、エラーは特定のＲＳＳＩレベルに帰属されない。しかし、伝送速度を選択するためにＲＳＳＩプロセスが使用されたのであれば、伝送速度を選択するために使用されたＲＳＳＩレベルは識別され、エラーはそのＲＳＳＩレベルおよび伝送速度に帰属される。送信されたパケットの現時点の合計数、および伝送エラーの数は、各伝送速度におけるＲＳＳＩレベルごとに保持される。各ＲＳＳＩレベルおよび伝送速度のＴｘ  ＰＥＲは、そのＲＳＳＩレベルおよび伝送速度のパケット伝送数で伝送エラー数を除算することにより計算される。
【００４４】
図５は、図３の全体的速度適応プロセス３００のＲＳＳＩトレーニングプロセス３４５を示す流れ図である。ＲＳＳＩトレーニングプロセス３４５は、ＲＳＳＩトレーニングプロセスがパケット伝送速度を決定するために以前使用されたかどうかの決定（ステップ５０５）と共に、パケットが伝送された後に開始する。以前使用されていない場合は、伝送されたパケットに応答してＡＣＫが受信されたかどうかに関して決定が行われる（ステップ５１０）。ステップ５１０において、ＡＣＫが受信されなかったことが決定された場合、特定のＲＳＳＩレベルに伝送エラーを帰属させる方法はなく、ＲＳＳＩトレーニングプロセス３４５は終了する。ステップ５１０において、伝送されたパケットに応答してＡＣＫが受信されたことが決定された場合、ＡＣＫのＲＳＳＩ測定はＷＴＲＵ１００のメモリ１１２から取り出され、ＲＳＳＩレベルはプロセッサ１０８によって決定され、ＲＳＳＩレベルの合計パケット伝送カウンタ１２６はそのＲＳＳＩレベルに対して増分される（ステップ５１５）。
【００４５】
ステップ５０５において、ＲＳＳＩトレーニングプロセスがパケット伝送速度を決定するために以前使用されたことが決定された場合、伝送速度を決定するためにＲＳＳＩトレーニングプロセスによって使用されたＲＳＳＩレベルは識別される（ステップ５２０）。次いで、伝送されたパケットに対してＡＣＫが受信されたかどうか決定が行われる（ステップ５２５）。ステップ５２５においてＡＣＫが受信されなかったことが決定された場合、ＲＳＳＩレベルの合計パケット伝送カウンタ１２６およびＲＳＳＩレベルのパケット伝送エラーカウンタ１２８は共にそのＲＳＳＩレベルに対して増分される（ステップ５３０）。ステップ５２５において、ＡＣＫが受信されたことが決定された場合、ＡＣＫのＲＳＳＩ測定はＷＴＲＵ１００のメモリ１１２から取り出され、ＡＣＫのＲＳＳＩレベルはプロセッサ１０８によって決定され、ＲＳＳＩレベルの合計パケット伝送カウンタ１２６はＡＣＫのＲＳＳＩレベルに対して増分される（ステップ５３５）。
【００４６】
この情報は、使用された各伝送速度に対して、各ＲＳＳＩレベルにおけるＴｘ  ＰＥＲを計算するために使用される（ステップ５４０）。この情報は、以下の表３のような表にまとめることもできる。ここでは、模範的なＳＴＡがパケットを伝送するために使用する各伝送速度ごとに模範的なＴｘ  ＰＥＲ対ＲＳＳＩ統計を示している。
【００４７】
【表４】
2008533776.tif 000006
【００４８】
図５に示されるように、所定のＲＳＳＩレベルおよび伝送速度のＴｘ  ＰＥＲ統計は、それぞれの新しいパケット伝送の後に適宜更新される（ステップ５４０）。パケットが最初に伝送された時に適切に受信されず、再伝送された場合、第２の伝送は明確なパケット伝送として処理される。伝送成功の場合、データベースは、ＡＣＫフレームのＲＳＳＩ測定を、単独で、または伝送速度を決定するために使用されたＲＳＳＩと組み合わせて、使用して更新される。複数の有効なＲＳＳＩ測定が使用可能である場合は、最新のＲＳＳＩ測定、または統計（２つ以上の最新の測定の平均など）が、ＲＳＳＩレベルを決定するために使用されうる。しかし、伝送されたパケットに時間的に極めて近接しているため、最近受信されたＡＣＫのＲＳＳＩ測定を使用することが有利であると考えられる。
【００４９】
ＲＳＳＩベースのプロセスはまた、望ましい目標伝送ＰＥＲまたは最大許容ＰＥＲを入力として使用する。目標伝送ＰＥＲは、すべての伝送速度に対して同じでありうるか、または異なる速度に対して異なるものでありうる。たとえば、表３において、最大許容Ｔｘ  ＰＥＲはすべての速度に対して０．１０で設定される。したがって、任意のＲＳＳＩレベルにおける好ましい伝送速度は、Ｔｘ  ＰＥＲが０．１０を上回らないそのレベルにおける最大伝送速度である。そのようなＴｘ  ＰＥＲが有効であるためには、そのようなＰＥＲを確立するために十分な数の測定が存在しなければならない。
【００５０】
有効なＴｘ  ＰＥＲを確立するために必要とされるＲＳＳＩレベルに対して受信される最小パケット数は、構成可能な数であるべきである。たとえば、０．１０を上回らないＴｘ  ＰＥＲを確立するために、少なくとも１０のパケットが受信されている必要がある。代替として、Ｔｘ  ＰＥＲは好ましくは、Ｔｘ  ＰＥＲの逆数の望ましい倍数と等しい好ましいパケット数が受信された後に限り、安定していると見なされる。たとえば、特定のＲＳＳＩレベルおよび伝送速度に対して望ましい倍数が２であり、目標Ｔｘ  ＰＥＲ値が０．１０である場合、Ｔｘ  ＰＥＲ値が安定していると見なされるために、少なくとも２×（１／１０）＝２０パケットがそのＲＳＳＩレベルおよび伝送速度において受信される必要がある。
【００５１】
表３において、太字体の値は、各ＲＳＳＩレベルの好ましい伝送速度を示している。たとえば、−８８ｄＢｍから−８５ｄＢｍのＲＳＳＩレベルにおいて、速度１（１Ｍｂｐｓ、０．０１のＰＥＲ）および速度２（２Ｍｂｐｓ、０．０８のＰＥＲ）はいずれも、最小許容可能値の０．１０よりも低いＴｘ  ＰＥＲを有する。次に高い速度（図示せず）が最大許容値（たとえば０．１５）よりも高いＰＥＲを有する場合、好ましい伝送速度は速度２であり、これはＰＥＲが最大許容値よりも小さい最高速度である。ＲＳＳＩが低すぎて（たとえば、表３の−９１ｄＢｍよりも低い）サポートされる速度のいずれも最大許容ＰＥＲを下回るＴｘ  ＰＥＲ統計をもたらさない場合、ＲＳＳＩベースのプロセスは、好ましくはフラグを使用して、サポートされる速度には許容可能Ｔｘ  ＰＥＲをもたらすものはないことを示すべきである。その場合、パケットは伝送されるべきではない。パケットを送信することは、目標または最大許容ＰＥＲによって指示されるよりも、伝送エラーを生じる可能性が高くなるからである。代替として、好ましい伝送速度は、パケットを送信する前にサポートされる最低速度で設定されてもよい。この情報は、以下の表４に示すように要約されうる。
【００５２】
【表５】
2008533776.tif 000007
【００５３】
図５に示されるように、ＲＳＳＩレベルにおよび伝送速度に対してＴｘ  ＰＥＲが計算された後、ＲＳＳＩレベルの好ましい伝送速度はまた前述のように決定される（ステップ５４０）。伝送速度対ＲＳＳＩレベルの統計が取得され、特定のＲＳＳＩレベルに対して安定していると決定された後、ＲＳＳＩベースのプロセスは送信機の伝送速度を調整するために使用される。それ以外の場合、Ｔｘ  ＰＥＲベースのプロセスは、伝送速度を決定するために呼び出される。
【００５４】
図６は、全体的速度適応プロセス３００の代替ＲＳＳＩトレーニングプロセス３４５’を示す流れ図であり、送信機電力およびチャネル状態は、一般的な場合のように、Ｍａｘｉｍｕｍ  Ｄｕｒａｔｉｏｎ期間とほぼ等しい期間にわたって概ね一定を保つことが想定されている。
【００５５】
パケットが伝送された後、伝送されたパケットに対してＡＣＫが受信されたかどうかに関して決定が行われる（ステップ６０５）。ＡＣＫが受信された場合、ＡＣＫ信号のＲＳＳＩ測定は、ＷＴＲＵ１００のメモリ１１２から取り出され、そのＲＳＳＩレベルが決定されて、ＲＳＳＩレベルの伝送のカウントが増分される（ステップ６１０）。次いで、ＲＳＳＩレベルに対して伝送パケット誤り率（Ｔｘ  ＰＥＲ）は更新され、Ｔｘ  ＰＥＲがＲＳＳＩレベルに対して安定しているかどうか決定が行われ、安定している場合は、好ましいパケット伝送速度がＲＳＳＩレベルに対して更新される（ステップ６１５）。
【００５６】
ステップ６０５において、伝送されたパケットに対してＡＣＫが受信されなかったことが決定された場合、最後のＭａｘｉｍｕｍ  Ｄｕｒａｔｉｏｎ期間内に第２の局から受信されたパケットに使用可能なＲＳＳＩ測定があるかどうかについて決定が行われる（ステップ６２０）。決定されなかった場合は、特定のＲＳＳＩレベルに伝送エラーを帰属させる方法はなく、プロセス３４５’は終了する。しかし、ステップ６２０において、１つまたは複数のＲＳＳＩ測定が使用可能であることが決定された場合、測定のＲＳＳＩレベルが決定される。ステップ６２５において複数のＲＳＳＩレベルが見い出された場合、代表的なＲＳＳＩレベルが決定され、ＲＳＳＩレベル合計パケット伝送カウンタ１２６およびＲＳＳＩレベルパケット伝送エラーカウンタ１２８がＲＳＳＩレベルに対して増分される。次いで、ＲＳＳＩレベルのＴｘ  ＰＥＲが更新され、Ｔｘ  ＰＥＲがＲＳＳＩレベルに対して安定しているかどうかに関して決定が行われる。安定している場合、ＲＳＳＩレベルの好ましいパケット伝送速度が更新される（ステップ６１５）。
【００５７】
ＲＳＳＩトレーニングプロセス３４５および３４５’は進行中のプロセスであることに留意されたい。Ｔｘ  ＰＥＲは、図５または図６に従って、すべてのパケットの伝送に続いて、または代替としてすべてのＮパケットの伝送の後、ＲＳＳＩレベルが「トレーニング済み」と見なされた後であっても、着信パケットのＲＳＳＩレベルにおいて更新される。古い統計は、大きな期間が経過した後に、またはメモリ内に保持することにより最新の測定の好ましい数のみを使用して（たとえば１００）、メモリ１１２から削除されうる。代替として、メモリ１１２内に格納されたＲＳＳＩ統計は、定期的にフラッシュアウトされ、ＲＳＳＩトレーニングプロセス３４５または３４５’は最初から再開される。
【００５８】
図７に示される本発明の１つの実施形態において、第２の局に伝送している第１の局は、第２の局から受信された速度コマンドに応答してその伝送速度を調整する。この実施形態は、第２の局において測定を行うこと、その測定から好ましい速度を決定すること、速度コマンドを生成すること、速度コマンドを第１の局に送信すること、好ましい速度を第１の局において実施することを含む。オプションで、測定自体は第１の局に送信されうるが、第１の局はその測定から好ましい伝送速度を決定する。好ましい速度を決定するために使用される測定は、リンク品質インジケータおよび／または、第１の局から第２の局において受信された信号のＲＳＳＩまたはＳＮＲなどの他の測定を含むことができる。第２の局から第１の局への速度コマンドは、好ましくは、第２の局によって第１の局に送信されたパケットのＭＡＣヘッダ内に位置するが、これはまたフレームのペイロード、あるいは１つまたは複数の専用パケットのような他の手段を通じて伝送されてもよい。
【００５９】
この実施態様は、許容伝送速度の各々について、望ましいＱｏＳ（たとえばＰＥＲ）を達成するために必要な感度（たとえばＳＮＲ）をメモリ内に格納していることを仮定している。この情報が第２の局によって取得される方法は、事前構成、トレーニングなどを含むことができ、本発明のこの実施の範囲を逸脱するものである。
【００６０】
第２の局が第１の局から受信するすべてのパケットについて（第２の局以外のノードに宛てられたパケットを含む）、第２の局は、パケットのＳＮＲおよびパケットが受信された時刻を測定してメモリに格納する。その後、第２の局が第１の局にパケットを送信する必要があるときは常に、最後のＭａｘｉｍｕｍ  Ｄｕｒａｔｉｏｎ期間内に第１の局からパケットを受信しているかどうかメモリを確認する。パケットを受信した場合、第２の局は、ＳＮＲ測定から統計（たとえば、最後のＭａｘｉｍｕｍ  Ｄｕｒａｔｉｏｎ期間内に受信されたパケットの平均ＳＮＲ、または最新の有効ＳＮＲなど）を生成し、それをメモリに格納されている感度数値と比較する。好ましい速度は、生成されたＳＮＲ統計が、望ましいＱｏＳを達成するために必要なＳＮＲよりも優れている最高速度である。次いで、第２の局は、望ましい速度を速度コマンドにエンコードし、それを第１の局に送信する。
【００６１】
第２の局が最後のＭａｘｉｍｕｍ  Ｄｕｒａｔｉｏｎ期間に第１の局からパケットを受信してない場合、第２の局は好ましい伝送速度を、デフォルトの速度、パケットを良好に受信した前回の速度、または第１の局に送信した前回の速度コマンドに指示されている速度のいずれかに設定する。代替として、第１の局が使用すべき伝送速度を第２の局が提供していないので、その伝送速度を決定するタスクを第１の局にゆだねることを示す信号を送信することができる。第２の局は、望ましい速度または信号を速度コマンドにエンコードし、それを第１の局に送信する。次いで、第１の局は、最新の速度コマンドおよびそれが受信された時刻をメモリに格納し、第２の局に伝送するときにそれを実施する。
【００６２】
図７は、伝送速度コマンドが第２の局において生成され、第１の局に送信される速度適応プロセス７００を示す流れ図である。第１の局が第２の局に送信するパケットを有する場合（ステップ７０５）、最後のＭａｘｉｍｕｍ  Ｄｕｒａｔｉｏｎ期間内に第２の局から有効な速度コマンドを受信しているかどうかを確認するためにそのメモリ１１２を調べる（ステップ７１０）。受信している場合、第１の局は受信した最新の速度コマンドに従ってその伝送速度を設定する（ステップ７１５）。有効な速度コマンドが使用可能ではない場合、第１の局は前述のようにその伝送速度を決定する（ステップ７２０）。その後、パケットは伝送される（ステップ７２５）。
【００６３】
本発明の特徴および要素は特定の組み合わせで好ましい実施形態において説明されるが、各々の特徴または要素は、他の特徴および要素を使用せずに単独で使用されうるか、または本発明のその他の特徴および要素とのさまざまな組み合わせ、あるいはそれらを使用せずに使用されうる。
【図面の簡単な説明】
【００６４】
【図１】従来の無線通信システムを示す図である。
【図２】本発明により構成されたＷＴＲＵを示す模範的なブロック図である。
【図３】本発明により実施された全体的速度適応プロセスを示す流れ図である。
【図４】図３の全体的速度適応プロセスのＴｘ  ＰＥＲベースのプロセスを示す流れ図である。
【図５】図３の全体的速度適応プロセスのＲＳＳＩトレーニングプロセスを示す流れ図である。
【図６】図３の全体的速度適応プロセスのＲＳＳＩトレーニングプロセスの代替実施形態を示す流れ図である。
【図７】図３の全体的速度適応プロセスの代替ＲＳＳＩトレーニングプロセスの例を示す図である。
【図１】
2008533776.tif 000008
【図２】
2008533776.tif 000009
【図３】
2008533776.tif 000010
【図４】
2008533776.tif 000011
【図５】
2008533776.tif 000012
【図６】
2008533776.tif 000013
【図７】
2008533776.tif 000014
【国際調査報告】
2008533776.tif 000015